(57)【要約】【課題】様々な大きさ、色、模様や形状のアクセサリを簡単に楽しく作成することができるアクセサリ作成玩具を提供する。【解決手段】主剤２１及び副剤２２からなる混合硬化型樹脂材料と、前記主剤２１が収納される主剤収納部１１と、前記副剤２２が収納される副剤収納部１２と、を有する収納容器１０と、を有し、前記主剤収納部１１及び前記副剤収納部１２は、収納される前記主剤２１又は前記副剤２２を指で押圧することにより開口可能な程度の接合力で溶着した開口部１１ａ，１２ａを備え、前記収納容器１０の内部は、前記主剤収納部１１又は前記副剤収納部１２が混合室１３を兼用して、前記主剤２１又は前記副剤２２の何れか一方を他方に移動させて混合するように形成され、前記主剤２１又は前記副剤２２には、装飾用材料が混入されている。【選択図】  図１
0003225418.tif 000002
【実用新案登録請求の範囲】
【請求項１】
主剤及び副剤からなる混合硬化型樹脂材料と、
前記主剤が収納される主剤収納部と、前記副剤が収納される副剤収納部と、を有する収納容器と、
を有し、
前記主剤収納部及び前記副剤収納部は、収納される前記主剤又は前記副剤を指で押圧することにより開口可能な程度の接合力で溶着した開口部を備え、
前記収納容器の内部は、前記主剤収納部又は前記副剤収納部が混合室を兼用して、前記主剤又は前記副剤の何れか一方を他方に移動させて混合するように形成され、
前記主剤又は前記副剤には、装飾用材料が混入されることを特徴とするアクセサリ作成玩具。
【請求項２】
前記収納容器は、透明樹脂フィルムにより形成され、外周部が熱溶着により接合されて密閉状態の内部空間を形成し、この内部空間に前記主剤収納部と前記副剤収納部とを形成していることを特徴とする請求項１に記載のアクセサリ作成玩具。
【請求項３】
前記収納容器は同形の２枚の透明樹脂フィルムが重ねられ、前記開口部は前記同形の透明樹脂フィルムが熱溶着により接合されて形成されることにより、前記主剤収納部と前記副剤収納部とを区画していることを特徴とする請求項１又は請求項２に記載のアクセサリ作成玩具。
【請求項４】
前記混合硬化型樹脂材料は、２液シリコーン樹脂であることを特徴とする請求項１乃至請求項３の何れかに記載のアクセサリ作成玩具。
【請求項５】
前記装飾用材料は、ラメ剤、パール剤、ガラス若しくは金属若しくはシリカからなるフレーク又はパウダー、樹脂チップ、粉砕石、粉砕木材又は着色液剤、又はこれらの組み合わせからなることを特徴とする請求項１乃至請求項４の何れかに記載のアクセサリ作成玩具。
【請求項６】
前記主剤と前記副剤とが混合された前記混合硬化型樹脂材料を流し込んで硬化させる形状や大きさの異なる複数の型を設けた型部材を更に有することを特徴とする請求項１乃至請求項５の何れかに記載のアクセサリ作成玩具。
【請求項７】
前記型部材は、可撓性を有する樹脂により形成されることを特徴とする請求項６に記載のアクセサリ作成玩具。
【請求項８】
混合された前記混合硬化型樹脂材料は、前記装飾用材料が均一に混ざり合っていることを特徴とする請求項６又は請求項７に記載のアクセサリ作成玩具。
【請求項９】
前記型部材の前記複数の型は、ハート形、星形、半円形、矩形又はリボン形であることを特徴とする請求項６乃至請求項８の何れかに記載のアクセサリ作成玩具。
【考案の詳細な説明】
【技術分野】
【０００１】
本考案は、アクセサリを作成して遊ぶことのできる玩具に関する。
【背景技術】
【０００２】
従来から、特に女児向けの玩具として、アクセサリを作成して遊ぶことができる玩具が種々開発されている。例えば、特許文献１に開示されるアクセサリ作成玩具は、複数の第１のアクセサリパーツが設けられる第１のプレートと、複数の第２のアクセサリパーツが設けられる第２のプレートとが備えられる。さらに、このアクセサリ作成玩具は、第１のアクセサリと第２のアクセサリをそれぞれ第１のプレート及び第２のプレートから切り取る押圧部を備える。そして、押圧部により切り取られた第１のアクセサリ及び第２のアクセサリは、収容ケースの中に収められる。
【先行技術文献】
【特許文献】
【０００３】
【特許文献１】特開２０１３−７８５６５号公報
【考案の概要】
【考案が解決しようとする課題】
【０００４】
特許文献１に開示されるアクセサリ作成玩具では、種々の形状の第１のアクセサリパーツや第２のアクセサリパーツを用意することで、様々な形状のアクセサリを作成して楽しむことができる。しかしながら、作成されるアクセサリの大きさはアクセサリ作成玩具本体の大きさによって制限される。また、様々な色、模様や形状のアクセサリを備えるプレートを多数用意することは手間やコストが掛かるので、この点においてもアクセサリ作成の自由度が制限されてしまう。
【０００５】
本考案の目的は、様々な大きさ、色、模様や形状のアクセサリを簡単に楽しく作成することができるアクセサリ作成玩具を提供する。
【課題を解決するための手段】
【０００６】
本考案のアクセサリ作成玩具は、主剤及び副剤からなる混合硬化型樹脂材料と、前記主剤が収納される主剤収納部と、前記副剤が収納される副剤収納部と、を有する収納容器と、を有し、前記主剤収納部及び前記副剤収納部は、収納される前記主剤又は前記副剤を指で押圧することにより開口可能な程度の接合力で溶着した開口部を備え、前記収納容器の内部は、前記主剤収納部又は前記副剤収納部が混合室を兼用して、前記主剤又は前記副剤の何れか一方を他方に移動させて混合するように形成され、前記主剤又は前記副剤は、装飾用材料が混入される。
【０００７】
そして、前記収納容器は、透明樹脂フィルムにより形成され、外周部が熱溶着により接合されて密閉状態の内部空間を形成し、この内部空間に前記主剤収納部と前記副剤収納部とを形成している。
【０００８】
更に、前記収納容器は同形の２枚の透明樹脂フィルムが重ねられ、前記開口部は前記同形の透明樹脂フィルムが熱溶着により接合されて形成されることにより、前記主剤収納部と前記副剤収納部とを区画している。
【０００９】
また、前記混合硬化型樹脂材料は、２液シリコーン樹脂とすることができる。
【００１０】
また、前記装飾用材料は、ラメ剤、パール剤、ガラス若しくは金属若しくはシリカからなるフレーク又はパウダー、樹脂チップ、粉砕石、粉砕木材又は着色液剤、又はこれらの組み合わせとすることができる。
【００１１】
そして、前記主剤と前記副剤とが混合された前記混合硬化型樹脂材料を流し込んで硬化させる形状や大きさの異なる複数の型を設けた型部材を更に有することがある。
【００１２】
更に、前記型部材は、可撓性を有する樹脂により形成されることがある。
【００１３】
また、混合された前記混合硬化型樹脂材料は、前記装飾用材料が均一に混ざり合っているものとする。
【００１４】
そして、前記型部材の前記複数の型は、ハート形、星形、半円形、矩形又はリボン形とされることがある。
【考案の効果】
【００１５】
本考案によれば、アクセサリ作成玩具は、主剤又は副剤が装飾用材料を備えた混合硬化型樹脂材料を有する。従って、主剤と副剤を混合して混合硬化型樹脂材料を型に流し込んで硬化させることにより、様々な大きさ、色、模様や形状のアクセサリを作成することができる。
【００１６】
更に、混合硬化型樹脂材料が収納される収納容器は、主剤収納部と副剤収納部とを備え、主剤収納部又は副剤収納部を混合室と兼用することにより、一体的にコンパクトに形成することができ、主剤収納部又は副剤収納部は、収納される主剤又は副剤を指で押圧することにより開口する開口部を備えるので、主剤と副剤の混合を容易に行うことができる。
【００１７】
また、透明樹脂フィルムによる収納容器は、装飾用材料が混入された主剤又は副剤を混合するに際し、混合状態の均一化を外部から見て容易に知ることができ、外周部を熱溶着により接合した樹脂フィルムによる収納容器は、製造が容易であり且つ容易にコンパクトに製造することができる。
【００１８】
更に、収納容器が同形の２枚の透明樹脂フィルムであって、開口部が同形の透明樹脂フィルムを熱溶着して形成するものとすれば、外周部の熱溶着と合わせ、容易に収納容器を製造することができる。
【００１９】
また、混合硬化型樹脂材料を２液シリコーン樹脂とすることにより、取り扱いも容易で硬化して出来上がったアクセサリの感触も良いアクセサリ作成玩具を提供することができる。
【００２０】
また、装飾用材料としてラメ剤、パール剤、ガラス若しくは金属若しくはシリカからなるフレーク又はパウダー、樹脂チップ、粉砕石、粉砕木材又は着色液剤、又はこれらの組み合わせとすれば、幼児の好みに応じて適宜の材料から適宜選択することで、装飾効果を備えるアクセサリを容易に作成することができる。
【００２１】
そして、型部材を有するアクセサリ作成玩具とすることにより、一層容易に種々の形をしたアクセサリを容易に作成することができる。
【００２２】
更に、可撓性を有する樹脂により型部材を形成することにより、作成したアクセサリを容易に型から取り出すことができる。
【００２３】
そして、混合された混合硬化型樹脂材料が均一に混ざり合うことにより、作成されたアクセサリを均質として容易に作成することができる。
【００２４】
また、型をハート形、星形、半円形、矩形又はリボン形とすれば、女児の好むアクセサリを容易に作成することができる。
【図面の簡単な説明】
【００２５】
【図１】本考案の実施形態に係るアクセサリ作成玩具における混合硬化型樹脂材料が収納される収納容器を示す正面模式図である。
【図２】本考案の実施形態に係る図１の収納容器のＩＩ−ＩＩ断面図である。
【図３】本考案の実施形態に係るアクセサリ作成玩具における混合硬化型樹脂材料の混合の様子を示す正面模式図であり、（ａ）は混合開始時の様子を示し、（ｂ）は混合終了時の様子を示す。
【図４】本考案の実施形態に係るアクセサリ作成玩具における混合硬化型樹脂材料を型に流し込む様子を模式的に示す斜視図である。
【図５】本考案の実施形態に係るアクセサリ作成玩具で作成したアクセサリの一例を示す斜視図である。
【図６】本考案の実施形態に係る収納容器の変形例を示す断面図である。
【図７】本考案の実施形態に係る収納容器の他の変形例を示す断面図である。
【図８】本考案の他の実施形態に係るアクセサリ作成玩具を模式的に示す斜視図である。
【考案を実施するための形態】
【００２６】
以下、図に基づいて、本考案の実施形態を説明する。本考案に係るアクセサリ作成玩具１は、図４に示すように、収納容器１０に収納される２液が混合された混合硬化型樹脂材料を型部材４０の所望の型４０ａに流し込み硬化させることにより、図５に示すようなアクセサリを作成して楽しめる玩具である。本実施形態においては、図１に示す収納容器１０に封入される混合硬化型樹脂材料は、２液シリコーン樹脂２０が用いられている。２液シリコーン樹脂２０は、主剤２１と、硬化剤等とされる副剤２２とからなる。ここで、２液シリコーン樹脂２０の主剤２１には、装飾用材料とされるラメ剤であるラメフレーク３０が混入されている。
【００２７】
収納容器１０は、図１において正面視略ハート形とされ、その下方部分には正面視において上下に長い長矩形状の突出部１６が形成されている。収納容器１０は、ポリエチレン等の透明樹脂材料により形成される。収納容器１０の外周部１７は、熱溶着により接合されている。収納容器１０は、同形の透明樹脂フィルムの外周を熱溶着により接合して形成される。従って、収納容器１０の内部空間は密閉状態とされている。
【００２８】
収納容器１０の図１における左上の膨出部には、２液シリコーン樹脂２０の主剤２１が収納される主剤収納部１１が形成されている。収納容器１０の図１における右上の膨出部には、副剤２２が収納される副剤収納部１２が形成されている。そして、主剤収納部１１と副剤収納部１２の下方側には、混合室１３が形成されている。主剤収納部１１及び副剤収納部１２は、それぞれ収納容器１０の内部に袋状に形成される。従って、収納容器１０は、二重構造とされている。
【００２９】
収納容器１０の二重構造は、具体的には、図２に示される。収納容器１０の外皮１５の内部において、主剤収納部１１は、ポリエチレン等の透明なフィルム状の樹脂材料により袋状に形成される。すなわち、図１に示すように、主剤収納部１１は、混合室１３側に形成される直線状の開口部１１ａと、ハート形に形成される収納容器１０の膨出部に倣った形状に湾曲する湾曲部１１ｂと、副剤収納部１２との境界とされる仕切部１４により外周縁が形成されている。開口部１１ａ、湾曲部１１ｂ、仕切部１４は、それぞれ熱溶着により接合されている。
【００３０】
副剤収納部１２における収納容器１０の二重構造も、図２に示す主剤収納部１１と同様に形成される。そして、図１に示すように、副剤収納部１２においても、開口部１２ａ、湾曲部１２ｂ及び仕切部１４により外周縁が形成されている。
【００３１】
収納容器１０の製造は、例えば、主剤収納部１１及び副剤収納部１２が連結された形状の樹脂フィルム２枚の湾曲部１１ｂ及び仕切部１４を溶着して主剤２１及び副剤２２をそれぞれ充填して開口部１１ａ，１２ａを溶着する。そして、収納容器１０の外皮１５を形成するための２枚の樹脂フィルム間に主剤２１及び副剤２２が充填された収納体を固定する。具体的には、湾曲部１１ｂ，１２ｂが外周部１７に、開口部１１ａ，１２ａは保持部１５ａにより挟持されるようにして外皮１５の熱溶着を行う。これにより、主剤２１及び副剤２２が別個に封入された収納体が収納容器１０の外皮１５の内部に固定され、かつ、混合室１３が形成される。
【００３２】
ここで、開口部１１ａ，１２ａは、幼児が主剤収納部１１及び副剤収納部１２を、それぞれ左右の手の指で押圧することにより開口される程度の接合力で熱溶着されている。従って、２液シリコーン樹脂２０の混合は、先ず主剤収納部１１及び副剤収納部１２に対応する収納容器１０の部分を左右の手の指（例えば親指の腹と、人差し指の親指側の側面）でそれぞれ挟んで押圧して、開口部１１ａ，１２ａを開口させる。このとき、保持部１５ａにて外皮１５同士が接合している場合には、開口部１１ａ，１２ａの開口と同時に保持部１５ａにおける外皮１５同士の接合も剥離される。
【００３３】
すると、図３（ａ）に示すように、主剤２１及び副剤２２を、それぞれ混合室１３に指で押し出す。その後、混合室１３にて、主剤２１と副剤２２を左右の手の指で押圧しながら混ぜ合わせる。ここで、２液シリコーン樹脂２０は、主剤２１と副剤２２が良く混ざり合うことによって硬化されるものであるが、幼児にとって硬化させるために良く混ぜ合わせるということを意識することは難しい。しかしながら、本考案に係るアクセサリ作成玩具１は、主剤２１にラメフレーク３０が混入されている。従って、図３（ｂ）に示すように、アクセサリ作成玩具１で遊ぶ幼児は、このラメフレーク３０が均一に混ざるように主剤２１と副剤２２を混ぜ合わせることとなるので、硬化させるために良く混ぜ合わせるということを幼児が意識することなく、混合の作業を楽しみながら、主剤２１と副剤２２は混ぜ合わされることとなる。
【００３４】
２液シリコーン樹脂２０のラメフレーク３０が均一に混ざった後、図３（ｂ）の破線で示す切り取り線Ｓに沿って、はさみ等で突出部１６を切り取る。すると、図４に示すように、切り取った部位が吐出口１６ａとなる。そして、型部材４０の所望の型４０ａに２液シリコーン樹脂２０を流し込み、所定時間放置すれば、２液シリコーン樹脂２０は硬化する。
【００３５】
型部材４０は、種々の樹脂や金属等で形成して、ハート形や星形、半円形、矩形若しくはリボン形等の種々の形状や大きさの型４０ａを設けることができる。しかしながら、型部材４０は、ポリエチレン等の可撓性を有する樹脂により形成すれば、型部材４０の背面から２液シリコーン樹脂２０を流し込んで硬化した型４０ａ部分を押し込むことにより、アクセサリ５０（図５参照）を容易に取り出すことができるので好適である。
【００３６】
なお、本実施形態においては、収納容器１０の内部は、主剤収納部１１、副剤収納部１２及び混合室１３により構成したが、主剤収納部１１又は副剤収納部１２と、混合室１３を兼用して、主剤２１又は副剤２２の何れか一方を他方の収納部に移動させて混合するように形成することもできる。
【００３７】
また、混合した２液シリコーン樹脂２０を収納容器１０から流し込む前、又は、後に、型４０ａ内に、図５で示す花形や星形の装飾駒５１，５２を入れることにより、幼児の好みに応じたアクセサリ５０を作成することができる。
【００３８】
次に、収納容器１０の変形例を説明する。図６は図１におけるＩＩ−ＩＩ断面に相当する断面を示す収納容器１０Ａの断面図である。この収納容器１０Ａは、図２の収納容器１０の保持部１５ａの熱溶着部分を排したものである。
【００３９】
さらに、図７に収納容器１０の他の変形例を示す。図７も同様に、図１におけるＩＩ−ＩＩ断面に相当する断面を示す収納容器１０Ｂの断面図である。この収納容器１０Ｂは、二重構造とはせずに、外皮１５の熱溶着により主剤収納部１１及び副剤収納部１２を形成して、収納容器１０Ｂの内部に直接に主剤２１及び副剤２２を充填するものである。このとき、主剤収納部１１及び副剤収納部１２の開口部１１ａ，１２ａは、外皮１５を熱溶着して形成する。この開口部１１ａ，１２ａも、主剤２１又は副剤２２を指で押圧することにより開口可能な程度で溶着される。
【００４０】
次に、本考案に係るアクセサリ作成玩具１の他の実施形態を図８に基づいて説明する。前述の実施形態においては、それぞれ別々に収納される主剤２１及び副剤２２は、収納容器１０に一体的に収納されるように形成したが、図８に示すように、主剤２１及び副剤２２をそれぞれ別々の収納袋１１０，１２０に収納して収納容器１００を形成しても良い。また、前述の実施形態においては、主剤２１にのみ装飾材料であるラメ剤（ラメフレーク３０）を混入させたが、副剤２２にも装飾材料を混入させても良い。このとき、副剤２２には、主剤２１に混入される装飾材料とは異なる装飾材料（本実施形態では樹脂チップ６０）を混入させる。これにより、主剤２１と副剤２２の装飾材料が均一に混ざり合うまで主剤２１と副剤２２を混ぜ合わす行為が行われ易くなる。
【００４１】
図８の実施形態においては、主剤２１及び副剤２２の混合は、主剤２１及び副剤２２をそれぞれコップ７０に入れて、撹拌棒８０により両者を撹拌して混ぜ合わせる。このとき、気泡が２液シリコーン樹脂２０中に混ざらないように撹拌する必要がある。混合された２液シリコーン樹脂２０に気泡が混入していると、アクセサリ内に気泡が残ってしまい、アクセサリの見た目が悪いものとなってしまうからである。前述の実施形態における収納容器１０によれば、混合室１３を指で押圧しながら主剤２１と副剤２２を混合させるので、気泡が混入され難いが、撹拌棒で混合する場合には空気を巻き込み易いので、２液の混合作業がやや難しくなる。
【００４２】
以上、本考案の実施形態を説明したが、本考案は以上の実施形態によって限定されることはなく、種々の変更を加えて実施することができる。例えば、混合硬化型樹脂材料は、２液シリコーン樹脂２０に限られることはなく、混合により硬化される材料であれば、他の樹脂材料を用いても良いし、主剤及び２種以上の副剤の３液以上が混合して硬化される混合硬化型樹脂材料であってもよい。しかしながら、適度な粘度で形成され、硬化後の感触も良く扱いやすい２液シリコーン樹脂２０を用いるのが好適である。
【００４３】
また、装飾用材料は、上記のラメフレーク３０や樹脂チップ６０に限られず、パール剤、ガラス若しくは金属若しくはシリカからなるフレーク又はパウダー、粉砕石、粉砕木材又は着色液剤等、又はこれらの組み合わせにより形成することができる。すなわち、主剤２１と副剤２２が均一に混ざり合ったことを視覚的に認識できるものであれば、これらのものに限ることなく装飾用材料として用いることができる。また、装飾用材料は、主剤２１又は副剤２２の何れか一方に混入させても良いし、種類を異ならせて両者に混入させても良い。
【符号の説明】
【００４４】
１        アクセサリ作成玩具              １０      収納容器
１１      主剤収納部                      １１ａ    開口部
１１ｂ    湾曲部                          １２      副剤収納部
１２ａ    開口部                          １２ｂ    湾曲部
１３      混合室                          １４      仕切部
１５      外皮                            １５ａ    保持部
１６      突出部                          １６ａ    吐出口
１７      外周部                          ２０      ２液シリコーン樹脂
２１      主剤                            ２２      副剤
３０      ラメフレーク                    ４０      型部材
４０ａ    型                              ５０      アクセサリ
５１      装飾駒                          ５２      装飾駒
６０      樹脂チップ                      ７０      コップ
８０      撹拌棒                          １００    収納容器
１１０    収納袋                          １２０    収納袋
【図１】
0003225418.tif 000003
【図２】
0003225418.tif 000004
【図３】
0003225418.tif 000005
【図４】
0003225418.tif 000006
【図５】
0003225418.tif 000007
【図６】
0003225418.tif 000008
【図７】
0003225418.tif 000009
【図８】
0003225418.tif 000010